(57)【要約】【課題】ユーザの嗜好にあったコンテンツに自動的に切り替え可能な車載情報装置を提供する。【解決手段】車載情報装置１は、ユーザの嗜好を表すユーザ情報を記憶している記憶部６と、地上デジタル放送のコンテンツの中からユーザ情報に該当するコンテンツを検索する検索部１２と、検索部１２によりユーザ情報に該当するコンテンツが見つかった場合は当該コンテンツを表示部４と音声出力部５へ出力し、ユーザ情報に該当するコンテンツが見つからなかった場合は地上デジタル放送以外のソースのコンテンツを表示部４と音声出力部５へ出力する出力切替部１３とを備える。【選択図】図１
2015220539.tif 000002
【特許請求の範囲】
【請求項１】
車両に搭載された出力部に対してコンテンツを出力する車載情報装置であって、
ユーザの嗜好を表すユーザ情報を記憶している記憶部と、
地上デジタル放送のコンテンツの中から、前記記憶部に記憶されているユーザ情報に該当するコンテンツを検索する検索部と、
前記検索部により前記ユーザ情報に該当するコンテンツが見つかった場合は当該コンテンツを前記出力部へ出力し、前記ユーザ情報に該当するコンテンツが見つからなかった場合は前記地上デジタル放送以外のソースのコンテンツを前記出力部へ出力する出力切替部とを備えることを特徴とする車載情報装置。
【請求項２】
前記ユーザ情報は、ユーザが過去に視聴した前記地上デジタル放送のコンテンツの履歴、またはユーザにより設定された前記地上デジタル放送のコンテンツのジャンルであることを特徴とする請求項１記載の車載情報装置。
【請求項３】
前記検索部は、前記地上デジタル放送のコンテンツと前記ユーザ情報とが該当する度合いに応じた優先度を求め、
前記出力切替部は、前記検索部が見つけたコンテンツの優先度が前記出力部へ出力中のコンテンツの優先度より高く、かつ、当該優先度の差が閾値以上の場合、前記検索部が見つけたコンテンツを前記出力部へ出力することを特徴とする請求項１または請求項２記載の車載情報装置。
【発明の詳細な説明】
【技術分野】
【０００１】
この発明は、車両に搭載され、地上デジタル放送のコンテンツを出力する車載情報装置に関するものである。
【背景技術】
【０００２】
車載情報装置は、車両の周辺環境により地上デジタル放送の受信状況が悪化した場合に、映像・音声を出力できなくなることがある。特許文献１に係る車載用映像・音響システムでは、そういった状況で無映像・無音状態になることを避けるため、他の映像・音声ソースに切り替える技術が提案されている。
【先行技術文献】
【特許文献】
【０００３】
【特許文献１】特開２００８−８５４６４号公報
【発明の概要】
【発明が解決しようとする課題】
【０００４】
従来の車載情報装置は以上のように構成されているので、ユーザが見たい番組または興味のある番組に自動的に切り替わるといったことができなかった。その結果、地上デジタル放送の映像・音声は出力されるが、特に見たいわけではない番組、興味のない番組が流れ続けるという課題があった。
【０００５】
この発明は、上記のような課題を解決するためになされたもので、ユーザの嗜好にあったコンテンツに自動的に切り替え可能な車載情報装置を提供することを目的とする。
【課題を解決するための手段】
【０００６】
この発明に係る車載情報装置は、ユーザの嗜好を表すユーザ情報を記憶している記憶部と、地上デジタル放送のコンテンツの中から、記憶部に記憶されているユーザ情報に該当するコンテンツを検索する検索部と、検索部によりユーザ情報に該当するコンテンツが見つかった場合は当該コンテンツを出力部へ出力し、ユーザ情報に該当するコンテンツが見つからなかった場合は地上デジタル放送以外のソースのコンテンツを出力部へ出力する出力切替部とを備えるものである。
【発明の効果】
【０００７】
この発明によれば、ユーザ情報に該当するコンテンツが見つかった場合は当該コンテンツを出力部へ出力するので、ユーザが操作をすることなく、ユーザの嗜好にあった地上デジタル放送のコンテンツに自動的に切り替えることができる。また、ユーザ情報に該当するコンテンツが見つからなかった場合は地上デジタル放送以外のソースのコンテンツを出力部へ出力するようにしたので、ユーザが興味のない地上デジタル放送のコンテンツを出力し続けることがない。
【図面の簡単な説明】
【０００８】
【図１】この発明の実施の形態１に係る車載情報装置の構成例を示すブロック図である。
【図２】実施の形態１に係る車載情報装置のユーザ情報の設定方法を説明する図である。
【図３】実施の形態１に係る車載情報装置の動作を示すフローチャートである。
【発明を実施するための形態】
【０００９】
実施の形態１．
図１に示すように、実施の形態１に係る車載情報装置１は、位置検出部２と、操作取得部３と、表示部４と、音声出力部５と、記憶部６と、地上デジタル放送受信機７と、ディスク装置８と、デジタルオーディオプレイヤ９と、ラジオ放送受信機１０と、上述の各部を制御するＥＣＵ（Ｅｌｅｃｔｒｏｎｉｃ  Ｃｏｎｔｒｏｌ  Ｕｎｉｔ）１１とを備えている。
【００１０】
位置検出部２は、例えばＧＰＳ（Ｇｌｏｂａｌ  Ｐｏｓｉｔｉｏｎｉｎｇ  Ｓｙｓｔｅｍ）受信機およびジャイロ等の信号に基づいて、車載情報装置１が搭載された車両の現在の位置を検出する。
【００１１】
操作取得部３は、例えば表示部４と一体に構成され画面上に設置されたタッチパネル、および表示部４の画面周囲に設けられたメカニカルなスイッチ等から構成され、ユーザの操作を受け付け、ＥＣＵ１１へ出力する。
【００１２】
表示部４は、例えば液晶ディスプレイから構成され、ＥＣＵ１１から出力される映像信号を画面に表示する。
音声出力部５は、例えばアンプおよびスピーカから構成され、ＥＣＵ１１から出力される音声信号を出力する。
表示部４および音声出力部５は、出力部を構成する。
【００１３】
記憶部６は、例えばＨＤＤ（Ｈａｒｄ  Ｄｉｓｋ  Ｄｒｉｖｅ）およびフラッシュメモリ等の記憶装置から構成され、ユーザの嗜好を表すユーザ情報等を記憶する。
ユーザ情報は、ユーザが過去に車載情報装置１で視聴した地上デジタル放送のコンテンツ（番組）の履歴、ユーザが操作取得部３を介して設定した地上デジタル放送のコンテンツのジャンル、およびユーザが操作取得部３を介して設定した地上デジタル放送以外のソースの優先順位である。
また、記憶部６は、地上デジタル放送の受信エリアを表す地図情報を記憶していてもよい。
【００１４】
地上デジタル放送受信機７は、地上デジタル放送波を受信し、映像、音声、および電子番組表（いわゆるＥＰＧ；Ｅｌｅｃｔｒｏｎｉｃ  Ｐｒｏｇｒａｍ  Ｇｕｉｄｅ）等の信号を取得する。また、地上デジタル放送受信機７は、地上デジタル放送波の受信状態に関する情報をＥＣＵ１１に出力する。
ラジオ放送受信機１０は、ＡＭラジオ放送波およびＦＭラジオ放送波を受信し、音声の信号を取得する。
【００１５】
ディスク装置８は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）およびＢＤ（Ｂｌｕ−ｒａｙ  Ｄｉｓｃ；登録商標、以下では登録商標の記載を省略する）等のディスクが挿入され、当該ディスクに記憶された映像および音声等の信号を読み出す。
【００１６】
デジタルオーディオプレイヤ９は、ＳＤカード等の記憶媒体が挿入され、当該記憶媒体に記憶された映像および音声等の信号を読み出す。または、デジタルオーディオプレイヤ９は、例えばＨＤＤおよびフラッシュメモリ等の記憶装置を内蔵した携帯情報端末であり、当該記憶媒体に記憶された映像および音声等の信号を読み出す。または、デジタルオーディオプレイヤ９は、映像および音声等の信号を記憶している、車載情報装置１に内蔵された記憶装置であってもよい。
【００１７】
ＥＣＵ１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等、およびこれらを接続するバスライン等から構成され、ＣＰＵがＲＯＭ等に格納されたプログラムを読み出して実行することにより、車載情報装置１の制御、ならびに検索部１２および出力切替部１３としての機能を実現する。
【００１８】
検索部１２は、地上デジタル放送受信機７から電子番組表を取得し、記憶部６が記憶しているユーザ情報に該当する地上デジタル放送のコンテンツを検索し、検索結果を出力切替部１３へ通知する。
【００１９】
出力切替部１３は、地上デジタル放送受信機７、ディスク装置８、デジタルオーディオプレイヤ９、およびラジオ放送受信機１０の各種ソースのうち、操作取得部３を介してユーザが選択したソースからコンテンツを取得して、そのコンテンツの映像信号を表示部４へ出力し、音声信号を音声出力部５へ出力する。このとき、出力切替部１３は、ユーザが選択した地上デジタル放送のコンテンツの情報を視聴履歴として記憶部６に記憶させる。
また、出力切替部１３は、検索部１２から検索結果が通知された場合、その結果に応じたソースのコンテンツを取得して映像信号を表示部４へ、音声信号を音声出力部５へ出力する。
【００２０】
なお、車載情報装置１のＥＣＵ１１の機能を、ナビゲーション装置など他の装置のＥＣＵに組み込んでも構わない。
また、位置検出部２、操作取得部３、表示部４、音声出力部５、地上デジタル放送受信機７、ディスク装置８、デジタルオーディオプレイヤ９、およびラジオ放送受信機１０は、車載情報装置１が独自に備える必要はなく、車両に予め搭載されているものを利用することも可能である。
【００２１】
次に、図２を参照しながら、車載情報装置１のユーザ情報の設定方法を説明する。
図２（ａ）は、地上デジタル放送のコンテンツに関してユーザの嗜好を設定するときの表示画面例である。ＥＣＵ１１は、図２（ａ）に示す画面を生成し、その映像信号を表示部４に出力して画面表示させる。ユーザは、表示部４の画面表示に従って操作取得部３を操作し、操作取得部３はその操作情報を受け付けてＥＣＵ１１へ出力する。例えば、ユーザが「（１）ジャンルを指定する」を選択した場合、ＥＣＵ１１は四角枠に選択したことを示すチェックを表示する。ＥＣＵ１１は以下同様にユーザの選択操作を画面表示に反映させていくこととする。
【００２２】
ユーザは、「（１）ジャンルを指定する」を選択した場合、「（３）ジャンル大分類」の中から嗜好にあったジャンルを選択する。この例では、ユーザが優先度１位の大ジャンルとして「ニュース」、優先度２位の大ジャンルとして「スポーツ」を選択した。このように、ジャンル指定では、ユーザが視聴したいジャンルを順位付けし、視聴したくないジャンルは「×」を付ける。
この設定の場合、地上デジタル放送のコンテンツにニュース番組が存在すれば表示部４の表示と音声出力部５の音声出力がニュース番組のものに切り替わる。ニュース番組が存在せずスポーツ番組が存在する場合、表示部４の表示と音声出力部５の音声出力がスポーツ番組のものに切り替わる。なお、優先順位が付けられたジャンルのコンテンツが存在しない場合、表示部４と音声出力部５へ出力するソースが地上デジタル放送から別のソースへ切り替わる。
【００２３】
なお、同じ大ジャンルで複数の番組が存在することもあるので、「（３）ジャンル大分類」をより細かく分類した小分類を設けてもよい。図２（ａ）の例では、ユーザがジャンル小分類を設定したい場合に「（４）ジャンル小分類の表示」を選択することにより、「（５）ジャンル小分類」が表示される。この例では、ユーザが大ジャンル「ニュース」のうち優先度１位の小ジャンルとして「天気」、優先度２位の小ジャンルとして「経済・市況」を選択した。
【００２４】
ＥＣＵ１１は、以上のユーザ選択に基づいて地上デジタル放送のコンテンツの指定ジャンルを設定し、ユーザ情報として記憶部６に記憶させる。
【００２５】
一方、ユーザが「（１）ジャンルを指定しない」を選択した場合、ＥＣＵ１１は地上デジタル放送のコンテンツの指定ジャンルを設定しない。
【００２６】
また、ユーザは指定ジャンルを設定せず（または指定ジャンルを設定すると共に）、視聴履歴から推奨コンテンツを抽出するように設定することもできる。ユーザが「（２）視聴履歴に基づく推奨コンテンツを見る」を選択した場合、「（６）視聴履歴ソース」の「内部データ」および「外部データ」の少なくとも一方を選択する。「内部データ」とは、記憶部６に記憶されている車載情報装置１の視聴履歴を指す。「外部データ」とは、例えば家庭用のテレビ受像機等の外部機器における視聴履歴を指す。ユーザが外部機器における視聴履歴のデータを車載情報装置１に入力するなどして、外部データを用意すればよい。車載情報装置１での視聴より外部での視聴が多い場合には、外部データを使用することによりユーザの嗜好をより反映することができる。
【００２７】
図２（ｂ）は、地上デジタル放送以外のソースに関してユーザの嗜好を設定するときの表示画面例である。例えば、ユーザが「（１）地上デジタル放送選択前のソース」を選択した場合、ＥＣＵ１１は地上デジタル放送選択前に選択されていたソースを優先度１位に設定し、ユーザ情報として記憶部６に記憶させる。
この設定の場合、地上デジタル放送以外のソースに切り替わるとき、表示部４の表示と音声出力部５の音声出力が地上デジタル放送選択前のソースのコンテンツのものになる。
【００２８】
一方、ユーザは、「（１）地上デジタル放送選択前のソース」を選択しなかった場合、「（２）指定ソース順位」を設定する。この例では、ユーザが優先度１位のソースとして「デジタルオーディオ」、優先度２位のソースとして「ＣＤ」、優先度３位のソースとして「ＦＭラジオ」、優先度４位のソースとして「ＡＭラジオ」、優先度５位のソースとして「ＢＤ」、優先度６位のソースとして「ＤＶＤ」を選択した。ＥＣＵ１１は、地上デジタル放送以外のソースの優先順位を、ユーザ情報として記憶部６に記憶させる。
この設定の場合、地上デジタル放送以外のソースに切り替わるとき、優先度１位のデジタルオーディオプレイヤ９が存在すれば表示部４の表示と音声出力部５の音声出力がデジタルオーディオプレイヤ９のコンテンツのものになる。デジタルオーディオプレイヤ９が存在しない場合、ディスク装置８に優先度２位のＣＤが挿入されていれば音声出力部５の音声出力がＣＤのコンテンツのものになる。
【００２９】
次に、図３のフローチャートに沿って車載情報装置１の動作を説明する。
ＥＣＵ１１の検索部１２は、地上デジタル放送受信機７から電子番組表を取得し、記憶部６のユーザ情報で指定されたジャンルのコンテンツ、または視聴履歴に基づいてユーザの嗜好にあう推奨コンテンツを検索する（ステップＳＴ１）。指定ジャンルまたは推奨のコンテンツが１つ以上見つかった場合（ステップＳＴ１“ＹＥＳ”）、検索部１２は、各コンテンツの優先度を求めて出力切替部１３へ通知する。検索部１２は、優先度をどのように算出してもよく、例えばユーザがジャンルに設定した優先度に基づいて算出したり、視聴履歴とコンテンツとの一致度合いに基づいて算出したりする。
【００３０】
一方、指定ジャンルまたは推奨のコンテンツが見つからなかった場合、または地上デジタル放送の受信状態が悪い場合（ステップＳＴ１“ＮＯ”）は、ステップＳＴ９に進む。検索部１２は、地上デジタル放送受信機７の情報に基づいて受信状態を判定してもよいし、位置検出部２が検出した現在位置と記憶部６が記憶している受信エリアの地図情報とに基づいて受信状態を判定してもよい。
【００３１】
出力切替部１３は、検索部１２から指定ジャンルまたは推奨のコンテンツとその優先度とが通知された場合、現在選択されているソース（つまり、表示部４または音声出力部５に映像信号または音声信号が出力されているソース）が地上デジタル放送でなければ（ステップＳＴ２“ＮＯ”）、通知されたコンテンツの中で優先度が最も高い最優先のコンテンツに切り替えることとし、そのコンテンツの映像信号を表示部４へ、音声信号を音声出力部５へ出力する（ステップＳＴ８）。
【００３２】
本発明では、指定ジャンルまたは推奨のコンテンツが見つかったときに即座に出力を切り替えることを基本とするが、ユーザが視聴中のコンテンツを最後まで視聴し続けたいと考えている場合もある。その対策として、コンテンツの優先度に閾値を設定し、指定ジャンルまたは推奨のコンテンツの優先度と視聴中の優先度との差が閾値を超えていれば出力を切り替えるように構成する。
【００３３】
出力切替部１３は、現在選択されているソースが地上デジタル放送であって（ステップＳＴ２“ＹＥＳ”）、検索部１２から通知されたコンテンツの中に視聴中のコンテンツがあれば（ステップＳＴ３“ＹＥＳ”）、通知されたコンテンツの優先度と視聴中のコンテンツの優先度を比較する（ステップＳＴ４）。出力切替部１３は、通知されたコンテンツの中に視聴中のコンテンツより優先度が高いコンテンツがある場合（ステップＳＴ４“ＹＥＳ”）、その優先度の差が閾値以上であれば（ステップＳＴ５“ＹＥＳ”）、通知されたコンテンツの中で優先度が最も高い最優先のコンテンツに切り替える（ステップＳＴ６）。通知されたコンテンツの中に視聴中のコンテンツがない場合にも（ステップＳＴ３“ＮＯ”）、出力切替部１３は、視聴中のコンテンツから最優先のコンテンツに切り替える（ステップＳＴ６）。
【００３４】
一方、通知されたコンテンツの中に視聴中のコンテンツより優先度が高いコンテンツがない場合（ステップＳＴ４“ＮＯ”）、または、通知されたコンテンツの優先度と視聴中のコンテンツの優先度との差が閾値未満の場合（ステップＳＴ５“ＮＯ”）、出力切替部１３は、視聴中のコンテンツの出力を継続する（ステップＳＴ７）。
【００３５】
なお、出力切替部１３は、通知されたコンテンツの中に視聴中のコンテンツより優先度が高いコンテンツがある場合（ステップＳＴ４“ＹＥＳ”）、または優先度の差が閾値以上の場合（ステップＳＴ５“ＹＥＳ”）に、視聴中のコンテンツが終了した後に最優先のコンテンツに切り替える構成にしてもよい。
【００３６】
他方、指定ジャンルまたは推奨のコンテンツが存在しない場合（ステップＳＴ１“ＮＯ”）、出力切替部１３は、現在選択されているソースが地上デジタル放送でないならば（ステップＳＴ９“ＮＯ”）、そのままそのソースのコンテンツの出力を継続する（ステップＳＴ１０）。現在選択されているソースが地上デジタル放送であるならば（ステップＳＴ９“ＹＥＳ”）、出力切替部１３は、ユーザは特に見たいわけではない、興味のない地上デジタル放送のコンテンツを見ていると判断して、地上デジタル放送以外の最優先のソースに切り替える（ステップＳＴ１１）。出力切替部１３は、ユーザ情報として「（１）地上デジタル放送選択前のソース」が設定されていた場合、地上デジタル放送選択前のソースに切り替え、「（２）指定ソース順位」が設定されていた場合、現在使用可能な優先度の高いソースに切り替える。
【００３７】
以上より、実施の形態１によれば、車載情報装置１は、ユーザの嗜好を表すユーザ情報を記憶している記憶部６と、地上デジタル放送のコンテンツの中からユーザ情報に該当するコンテンツを検索する検索部１２と、検索部１２によりユーザ情報に該当するコンテンツが見つかった場合は当該コンテンツを表示部４と音声出力部５へ出力し、ユーザ情報に該当するコンテンツが見つからなかった場合は地上デジタル放送以外のソースのコンテンツを表示部４と音声出力部５へ出力する出力切替部１３とを備える構成にした。このため、ユーザが操作することなく、ユーザの嗜好にあった地上デジタル放送のコンテンツに自動的に切り替えることができる。また、ユーザの嗜好にあった地上デジタル放送のコンテンツが存在しない場合は、地上デジタル放送以外のソースのコンテンツに切り替えるので、ユーザが興味のない地上デジタル放送のコンテンツを出力し続けることがない。
【００３８】
また、実施の形態１によれば、車載情報装置１は、ユーザ情報として、ユーザが過去に視聴した地上デジタル放送のコンテンツの履歴、またはユーザにより設定された地上デジタル放送のコンテンツのジャンルを用いるようにしたので、ユーザの嗜好にあった地上デジタル放送のコンテンツに自動的に切り替えることができる。
【００３９】
また、実施の形態１によれば、検索部１２は、地上デジタル放送のコンテンツとユーザ情報とが該当する度合いに応じた優先度を求め、出力切替部１３は、検索部１２が見つけたコンテンツの優先度が表示部４と音声出力部５へ出力中のコンテンツの優先度より高く、かつ、当該優先度の差が閾値以上の場合に、検索部１２が見つけたコンテンツを表示部４と音声出力部５へ出力するようにした。このため、ユーザが地上デジタル放送のコンテンツを視聴中に、そのコンテンツよりもユーザの嗜好にあったコンテンツが見つかった場合に自動的に切り替えることができる。
【００４０】
なお、出力切替部１３は、車両が走行している間、表示部４への映像信号出力を停止して、音声出力部５への音声信号出力のみを行う等の機能制限を実施してもよい。
【００４１】
上記以外にも、本発明はその発明の範囲内において、実施の形態の任意の構成要素の変形、または実施の形態の任意の構成要素の省略が可能である。
【符号の説明】
【００４２】
１  車載情報装置、２  位置検出部、３  操作取得部、４  表示部（出力部）、５  音声出力部（出力部）、６  記憶部、７  地上デジタル放送受信機、８  ディスク装置、９  デジタルオーディオプレイヤ、１０  ラジオ放送受信機、１１  ＥＣＵ、１２  検索部、１３  出力切替部。
【図１】
2015220539.tif 000003
【図２】
2015220539.tif 000004
【図３】
2015220539.tif 000005